Podtech/llm-jp-corpus-v4-ja_patent huggingface dataset:
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
超音波撮像コンポーネントに結合され、肺の少なくとも一部を含む被検者の身体を表す複数の画像データフレームを受信する、インターフェースであって、前記複数の画像データフレームの各画像データフレームは、前記被検者の身体の画像のピクセル強度を表す複数のピクセル値を含む、インターフェースと、
前記インターフェースと通信する処理コンポーネントとを含む、超音波撮像システムであって、前記処理コンポーネントは、
閾値を満たす各画像データフレーム内の前記複数のピクセル値の数をカウントすることにより、前記複数の画像データフレームの各画像データフレームについてカウント値メトリックを決定し、
前記複数の画像データフレームの前記カウント値メトリックの変動に基づき、前記被検者の身体の動的エアブロンコグラム状態を決定する、
超音波撮像システム。
【請求項２】
前記複数の画像データフレームは、少なくとも１つの呼吸周期を含む期間にわたる前記被検者の身体の画像を表す、請求項１に記載の超音波撮像システム。
【請求項３】
前記処理コンポーネントは、
前記カウント値メトリックの最大値と前記カウント値メトリックの最小値との間の比率を決定し、
前記比率に基づき前記動的エアブロンコグラム状態を決定することにより、
前記動的エアブロンコグラム状態を決定する、請求項１又は２に記載の超音波撮像システム。
【請求項４】
前記処理コンポーネントはさらに、
前記複数の画像データフレームから前記肺の少なくとも一部に対応する関心領域を識別し、
前記関心領域に基づいて前記カウント値メトリックを決定する、請求項１から３の何れか一項に記載の超音波撮像システム。
【請求項５】
前記動的エアブロンコグラム状態の結果を表示する表示コンポーネントを含む、請求項１から４の何れか一項に記載の超音波撮像システム。
【請求項６】
前記超音波撮像コンポーネントと、
前記処理コンポーネントと、
前記動的エアブロンコグラム状態の結果を表示する表示コンポーネントとを含む、超音波撮像プローブをさらに含む、請求項１から５の何れか一項に記載の超音波撮像システム。
【請求項７】
超音波撮像コンポーネントに結合され、肺の少なくとも一部を含む被検者の身体を表す複数の画像データフレームを受信する、インターフェースであって、前記複数の画像データフレームの各画像データフレームは、前記被検者の身体の画像のピクセル強度を表す複数のピクセル値を含む、インターフェースと、
前記インターフェースと通信する処理コンポーネントとを含む、超音波撮像システムであって、前記処理コンポーネントは、
前記複数の画像データフレームの第１の画像データフレームに隣接する、前記複数の画像データフレームの第２の画像データフレームのピクセル値から、前記第１の画像データフレームのピクセル値を減算することにより、前記複数の画像データフレームの連続する画像データフレーム間の差分に基づき複数の差分データフレームを決定し、
前記複数の差分データフレームの総和に基づき累計データフレームを決定し、
前記累計データフレームに基づき、前記被検者の身体の動的エアブロンコグラム状態を決定する、
超音波撮像システム。
【請求項８】
前記複数の画像データフレームは、少なくとも１つの呼吸周期を含む期間にわたる前記被検者の身体の画像を表す、請求項７に記載の超音波撮像システム。
【請求項９】
各差分データフレームは複数の差分値を含み、前記処理コンポーネントはさらに、
前記減算の結果の絶対値を決定することで前記差分データフレームの第１の差分データフレームについて差分値を決定することにより、前記第１の差分データフレームを決定し、
前記第１の画像データフレームの前記ピクセル値及び前記第２の画像データフレームの前記ピクセル値は、前記肺の少なくとも一部の同じ小部分を表す、請求項７又は８に記載の超音波撮像システム。
【請求項１０】
前記各差分データフレームは第２の複数のピクセル値を含み、前記累計データフレームは複数の総和値を含み、前記処理コンポーネントはさらに、
前記複数の差分データフレーム間の第３の複数のピクセル値を累計することで前記複数の総和値の各総和値を決定し、ここで、前記複数の差分データフレーム間の前記第３の複数のピクセル値は前記被検者の身体の同じ部分を表し、
前記複数の総和値に基づいて前記動的エアブロンコグラム状態を決定することにより、前記動的エアブロンコグラム状態を決定する、請求項７から９の何れか一項に記載の超音波撮像システム。
【請求項１１】
前記累計データフレームを表示するディスプレイコンポーネントをさらに備える、請求項７から１０の何れか一項に記載の超音波撮像システム。
【請求項１２】
超音波撮像コンポーネントに結合され、少なくとも１つの呼吸周期を含む期間にわたり肺の少なくとも一部を含む被検者の身体を表す複数の画像データフレームを受信するインターフェースであって、前記複数の画像データフレームの各画像データフレームは、前記被検者の身体の画像のピクセル強度を表す複数のピクセル値を含む、インターフェースと、
前記インターフェースと通信する処理コンポーネントとを含む、超音波撮像システムであって、前記処理コンポーネントは、
前記複数の画像データフレームの各画像データフレームから、前記肺の少なくとも一部の同じ小部分に対応する１つ又は複数のピクセル値を選択することにより、前記複数の画像データフレームからデータのサブセットを識別し、
前記データのサブセットから各画像データフレームについて強度メトリックを決定し、
前記期間にわたる前記強度メトリックの最大値を前記期間にわたる前記強度メトリックの最小値と比較することにより、前記データのサブセットの時間的変動に基づき、前記被検者の身体の動的エアブロンコグラム状態を決定する、
超音波撮像システム。
【請求項１３】
前記処理コンポーネントは、
前記強度メトリックの前記最大値と前記強度メトリックの前記最小値との比率に基づいて前記動的エアブロンコグラム状態を決定する、請求項１２に記載の超音波撮像システム。
【請求項１４】
前記処理コンポーネントは、前記動的エアブロンコグラム状態を決定する前に前記強度メトリックにフィルタを適用する、請求項１３に記載の超音波撮像システム。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
ａ）可変重鎖の相補性決定領域３としてａＣＤ３８−ａ−３２３−ＨＣＤＲ３アミノ酸配列（配列番号３）；
ｂ）可変重鎖の相補性決定領域１としてａＣＤ３８−ａ−３２３−ＨＣＤＲ１アミノ酸配列（配列番号１）；
ｃ）可変重鎖の相補性決定領域２としてａＣＤ３８−ａ−３２３−ＨＣＤＲ２アミノ酸配列（配列番号２）；
ｄ）可変軽鎖の相補性決定領域１としてａＣＤ３８−ａ−３２３−ＬＣＤＲ１アミノ酸配列（配列番号５）；
ｅ）可変軽鎖の相補性決定領域２としてａＣＤ３８−ａ−３２３−ＬＣＤＲ２アミノ酸配列（配列番号６）；及び
ｆ）可変軽鎖の相補性決定領域３としてａＣＤ３８−ａ−３２３−ＬＣＤＲ３アミノ酸配列（配列番号７）；
を含む、抗ＣＤ３８抗体またはその抗原結合断片。
【請求項２】
前記抗体またはその抗原結合断片が、ａＣＤ３８−ａ−３２３−ＨＣＤＲ１２３アミノ酸配列（配列番号４）を含む可変重鎖、及び／又は、ａＣＤ３８−ａ−３２３−ＬＣＤＲ１２３アミノ酸配列（配列番号８）を含む可変軽鎖を含む、請求項１に記載の抗体またはその抗原結合断片。
【請求項３】
前記抗体またはその抗原結合断片が、
ａ）配列番号４の配列を含む重鎖可変領域、および配列番号８の配列を含む軽鎖可変領域を含む、抗体またはその抗原結合断片、
ｂ）配列番号１０の配列を含む重鎖可変領域、および配列番号１１の配列を含む軽鎖可変領域を含む、抗体またはその抗原結合断片、ならびに
ｃ）配列番号１２の配列を含む重鎖可変領域、および配列番号１３の配列を含む軽鎖可変領域を含む、抗体またはその抗原結合断片、
からなる群から選択される、請求項１又は２に記載の抗体またはその抗原結合断片。
【請求項４】
前記抗体またはその抗原結合断片が、ａ−フコシル化されている、請求項１〜３のいずれかに記載の抗体またはその抗原結合断片。
【請求項５】
ヒトＣＤ３８のエピトープと特異的に結合する抗体または抗原結合断片であって、前記エピトープが、配列番号９の少なくともアミノ酸残基１２０、１２１、および１４１を含む、抗体または抗原結合断片。
【請求項６】
前記エピトープが、配列番号９のアミノ酸残基２４１をさらに含む、請求項５に記載の抗体または抗原結合断片。
【請求項７】
請求項１〜６のいずれか一項に記載の抗体またはその抗原結合断片の親和性成熟バリアント。
【請求項８】
前記抗体またはその抗原結合断片が、
ａ）モノクローナル抗体、ドメイン抗体、一本鎖抗体、Ｆａｂ断片、Ｆ（ａｂ’）２断片、一本鎖可変断片（ｓｃＦｖ）、ｓｃＦｖ−Ｆｃ断片、一本鎖抗体（ｓｃＡｂ）、アプタマー、またはナノボディである、
ｂ）ウサギ、マウス、キメラ、ヒト化、または完全ヒト抗原結合抗体である、
ｃ）ＩｇＧ１、ＩｇＧ２、ＩｇＧ３、およびＩｇＧ４アイソタイプ抗体からなる群から選択される、並びに／或いは
ｄ）二重特異性抗体、多重特異性抗体、または治療剤または診断剤をさらに含む免疫複合体に含まれる、
請求項１〜７のいずれか一項に記載の抗体またはその抗原結合断片。
【請求項９】
請求項１〜８のいずれか一項に記載の抗体またはその抗原結合断片をコードする、核酸分子。
【請求項１０】
請求項９に記載の核酸分子を含む、核酸ベクター。
【請求項１１】
請求項１０に記載の核酸ベクターを含む、宿主細胞。
【請求項１２】
請求項１１に記載の宿主細胞を培養することにより、請求項１〜８のいずれか一項に記載の抗体またはその抗原結合断片を産生する、方法。
【請求項１３】
請求項１〜８のいずれか一項に記載の抗体またはその抗原結合断片を含む、組成物。
【請求項１４】
薬学的に許容される担体または賦形剤をさらに含む、請求項１３に記載の組成物。
【請求項１５】
前記組成物が、がんの治療において使用するためのものである、請求項１４に記載の薬学的組成物。
【請求項１６】
対象においてがんを治療する方法であって、請求項１４に記載の組成物の有効量を前記対象に投与することを含む、方法。
【請求項１７】
前記対象に第２の薬剤を同時、または任意の順序で連続的に投与することをさらに含む、請求項１６に記載の方法。
【請求項１８】
前記対象が、固形腫瘍又は血液がんを有する、請求項１６または１７に記載の方法。
【請求項１９】
抗ＣＤ３８抗体を調製する方法であって、請求項１〜８のいずれか一項に記載の抗体を提供することと、前記抗体を親和性成熟させることとを含み、産生された前記抗ＣＤ３８抗体が、親抗体よりもＣＤ３８に対して高い親和性を有する、方法。
【請求項２０】
薬学的組成物を調製する方法であって、請求項１９に記載の方法に従って調製された抗体を提供することと、少なくとも１つ以上の薬学的に許容される賦形剤と前記抗体を共製剤化することとを含む、方法。
【請求項２１】
容器内に請求項１３に記載の組成物を含む、キット。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
電気外科発電機と電気外科器具を相互接続するためのインターフェイスジョイントであって、
電気絶縁材料で作られたハウジングであって、
前記電気外科発電機から無線周波数（ＲＦ）電磁（ＥＭ）エネルギー及び／またはマイクロ波周波数ＥＭエネルギーを受け入れるための第１の入口、
流体を受け入れるための第２の入口、及び
出口
を含む前記ハウジング、
前記ハウジングを前記電気外科器具に接続するための可撓性シャフトであって、前記出口を通って延び、その中に長手方向の通路を有し、前記第２の入口と流体連通する流体流路を備え、前記第１の入口に接続されている同軸伝送線を搬送する、前記可撓性シャフト、
流体送達構造部の展開を制御するために前記電気外科器具に動作可能に接続された作動機構であって、
前記出口から前記ハウジングの外に延びる作動ロッド、
前記ハウジングに移動可能に取り付けられ、前記作動ロッドに接続されたアクチュエータ
を備える前記作動機構、及び
前記ハウジングに対して前記可撓性シャフトを回転させるためのシャフト回転機構であって、前記ハウジングに回転可能に取り付けられ、前記可撓性シャフトに動作可能に結合された回転アクチュエータを備える前記シャフト回転機構
を備える、インターフェイスジョイント。
【請求項２】
前記作動ロッドは、前記可撓性シャフトの長手方向通路を通って延びる、請求項１に記載のインターフェイスジョイント。
【請求項３】
前記回転アクチュエータは、前記ハウジングの遠位部分の周りに取り付けられたカラーを備える、請求項１または２に記載のインターフェイスジョイント。
【請求項４】
前記回転アクチュエータは、前記可撓性シャフトが前記出口を通過する方向と位置合わせされた軸の周りで前記ハウジングに対して回転可能である、請求項１から請求項３のいずれかに記載のインターフェイスジョイント。
【請求項５】
前記ハウジングが、前記第２の入口と前記出口との間に流体流路を提供する内部水密分岐導管を含み、前記分岐導管が、
前記ハウジングに固定された主導管、及び
前記主導管の遠位端に回転可能に取り付けられた回転ルアーロック継手
を備え、
前記可撓性シャフトは、前記回転ルアーロック継手に回転不能に連結され、
前記回転アクチュエータは、前記主導管に対して、前記回転ルアーロック継手を回転させるように動作可能である、請求項１から請求項４のいずれかに記載のインターフェイスジョイント。
【請求項６】
電気外科発電機と電気外科器具を相互接続するためのインターフェイスジョイントであって、
電気絶縁材料で作られたハウジングであって、
前記電気外科発電機から高周波（ＲＦ）電磁（ＥＭ）エネルギー及び／またはマイクロ波周波数ＥＭエネルギーを受け入れるための第１の入口、
流体を受け入れるための第２の入口、及び
出口
を含む前記ハウジング、
前記ハウジングを前記電気外科器具に接続するための可撓性シャフトであって、前記出口を通って延び、その中に長手方向の通路を有し、前記第２の入口と流体連通する流体流路を備え、前記第１の入口に接続されている同軸伝送線を搬送する、前記可撓性シャフト、
流体送達構造部の展開を制御するために前記電気外科器具に動作可能に接続された作動機構であって、
前記出口から前記ハウジングの外に延びる作動ロッド、
前記ハウジングに旋回可能に取り付けられたアクチュエータアームであって、前記ハウジングから突出する第１の部分と、前記作動ロッドに動作可能に接続された第２の部分とを有する前記アクチュエータアーム
を備える前記作動機構
を備える、前記インターフェイスジョイント。
【請求項７】
前記作動機構は、前記ハウジングに対して相互に摺動可能に取り付けられた誘導要素を備え、前記誘導要素は、前記作動ロッドの近位端に接続され、前記アクチュエータアームの前記第２の部分は、駆動アームによって前記誘導要素に接続されている、請求項６に記載のインターフェイスジョイント。
【請求項８】
前記ハウジングは、前記可撓性シャフトが前記出口を通る方向と位置合わせする長手方向にのみ前記誘導要素を移動可能に拘束するトラックを備える、請求項７に記載のインターフェイスジョイント。
【請求項９】
前記アクチュエータアームが旋回点で前記ハウジングに接続され、前記第２の部分が前記第１の部分よりも前記旋回点から遠い、請求項６から８のいずれか１項に記載のインターフェイスジョイント。
【請求項１０】
前記ハウジングが、前記第２の入口と前記出口との間に流体流路を提供する内部水密分岐導管を含む、請求項６から９のいずれか１項に記載のインターフェイスジョイント。
【請求項１１】
前記分岐導管は、同軸ケーブルを受け入れるための前記第１の入口に隣接する第１のポートを有する、請求項５または１０に記載のインターフェイスジョイント。
【請求項１２】
前記第１のポートは、前記同軸ケーブル用の水密通路を画定するプラグを備える、請求項１１に記載のインターフェイスジョイント。
【請求項１３】
前記分岐導管が、前記作動ロッドを受け入れるための前記作動機構に隣接する第２のポートを画定する、請求項１１または１２に記載のインターフェイスジョイント。
【請求項１４】
前記第２のポートは、前記作動ロッドのための水密通路を画定するプラグを備える、請求項１３に記載のインターフェイスジョイント。
【請求項１５】
前記第１の入口に回転可能に取り付けられたコネクタを有し、前記コネクタが同軸ケーブルに接続するように配置されている、請求項１から請求項１４のいずれかに記載のインターフェイスジョイント。
【請求項１６】
前記コネクタは、前記ハウジングに固定されたベアリングユニット内に取り付けられている、請求項１５に記載のインターフェイスジョイント。
【請求項１７】
前記作動ロッドの遠位端は、前記可撓性シャフトを通る前記流体流路と流体連通する内部容積部を有する針フェルールの近位端に接続され、針が前記針フェルールの遠位端に取り付けられ、前記針は前記内部容積部と流体連通している、請求項１から請求項１６のいずれかに記載のインターフェイスジョイント。
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
車両内の乗員のバイタルサインを決定する方法であって、
乗員に信号を伝達し、該信号を乗員から反射された信号として受信する工程と、
車両の少なくとも１つのセンサーから車両の動きのデータと車両の加速のデータを含む振動データを得る工程と、
修正済の信号を生成するために、得られた振動データに基づいて少なくとも１つのフィルタを調整することで、受信された反射信号をフィルタリングする、工程：および、
修正済の信号の分析し、乗員のバイタルサインを決定する、工程、を含んでなる方法。
【請求項２】
バイタルサインは、呼吸数、心拍数および心拍変動の１つ以上を含んでいる、請求項１に記載の方法。
【請求項３】
前記信号はドップラーレーダーからである、請求項１に記載の方法。
【請求項４】
反射信号はアナログ形式で得られ、デジタル形式に変換され、修正済の信号が修正済のデジタル信号を含んでいる、請求項２に記載の方法。
【請求項５】
前記バイタルサインは乗員の呼吸数を含み、乗員から反射された信号は、呼吸数の高調波に基づいた信号に帰着する、請求項４に記載の方法。
【請求項６】
請求項１に記載の方法であって、
心拍数がプロセスによって決定され、当該プロセスは、
修正済の信号を得る工程と；
修正済の信号をセグメントに分割する分割工程であって、前記セグメントの各々は周波数に対応する工程、
前記セグメントの高調波に対する複数のピークを分析する工程であって、
前記ピークのおのおのに対して、
高調波の各々にウエイトファクターを適用すること、
ウエイトファクターによって乗じられる高調波からのエネルギーを蓄積すること；
および、
心拍数に対応する最も高い累積エネルギーをもつピークを決定することを含む工程を、
含んでなる、ことを特徴とする方法。
【請求項７】
請求項２に記載の方法であって、
心拍変動を決定することは、次のプロセス、すなわち、
修正済の信号を得ること；
修正済の信号中の偽信号を決定すること；
偽信号間の連続するピークの修正済の信号を分析すること；
および、
少なくとも所定の数の連続するピークを持つ修正済の信号の一部を決定すること；
および、
少なくとも所定の数の連続するピークを持つ修正済の信号から心拍変動パラメーターを算出すること、を含んでなる、方法。
【請求項８】
反射信号を呼吸速度周波数に対する第１の経路に分割し、反射信号の分析前に心拍数周波数に対する第２の経路に分割する工程をさらに含む、請求項１に記載の方法。
【請求項９】
車両（１００）の乗員のバイタルサインを決定するためのシステムであって、前記システムは、
乗員に信号を伝達し、乗員から反射された信号を受信するためのレーダー送受信機（１０１ａ／４０４）と；
プロセッサ（４０８）によって処理するために反射信号を変換された信号に変換するための信号変換器（４０７）と；
乗員に局所的な振動を検出し、前記局所的な振動を表す振動データを提供するための振動検知ユニット（４０６）であって、前記局所的な振動データは車両の動きのデータと加速のデータを含む、振動検知ユニット（４０６）と；および、
信号変換器（４０７）および振動検知ユニット（４０７）と電子通信するプロセッサ（４０８）であって、ａ）修正済の信号を生成するために振動データに基づいて少なくとも１つのフィルタ（４１３ａ−３）を調整することで、変換された信号をフィルタリングし、ｂ）乗員のバイタルサインを決定する修正済の信号を分析するように、プログラムされてなるプロセッサ（４０８）と、を含んでなるシステム。
【請求項１０】
乗員のバイタルサインを決定するために修正済の信号を分析するようにプログラムされるプロセッサ（４０８）が、呼吸数、心拍数および心拍変動の１つ以上を含むバイタルサインを決定する、請求項９に記載のシステム。
【請求項１１】
振動検知ユニットは慣性計測装置（ＩＭＵ）（４１１）を含み、信号変換器はＡ−Ｄ変換器（ＡＤＣ）（４０７）を含んでいる請求項９に記載のシステム。
【請求項１２】
反射信号の呼吸数周波数と心拍数周波数の分離のために２つの通過帯域経路（４０６ａ，４０６ｂ）を含む、レーダー送受信機（４０４）及び信号変換器と電子通信する、フィルトレーション及び増幅回路（４０６）をさらに含む、請求項９に記載のシステム。
【請求項１３】
車両の客室で乗員を決定するための方法であって、前記方法は、
車両の客室に信号を伝達し反射信号を受信する工程；
少なくとも１つのセンサーから車両の動きのデータと車両の加速のデータを含む振動データを得る工程；
修正済の信号を生成するために、得られた振動データに基づいて少なくとも１つのフィルタを調整することで、受信された反射信号をフィルタリングする工程：
車両の客室の乗員のバイタルサインの存在を決定するために修正済の信号を分析する工程；
を含み、
もしバイタルサインが存在すれば、乗員は車両の客室で検知される、方法。
【請求項１４】
車両の乗員の数を決定する方法であって、前記方法は、
車両の客室に信号を伝達し、１人以上の乗員から反射されたレーダー信号を受信する工程；
少なくとも１つのセンサーから車両の動きのデータと車両の加速のデータを含む振動データを得る工程；
修正済の信号を生成するために、得られた振動データに基づいて、少なくとも１つのフィルタを調整することで受信された反射信号をフィルタリングする工程；
車両客室の１人以上の乗員に関連するバイタルサインを決定するために、修正済の信号を分析する工程；および、
検知されたバイタルサインの数に基づいて、車両の客室内の乗員の数を決定する工程、を含んでなる方法。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
センサシステムを有する細長い器具と；
前記細長い器具の姿勢を測定するために前記センサシステムと通信する制御システムであって、前記制御システムは：
前記細長い器具の第１のモデルを生成すること；
前記細長い器具の基準姿勢に基づいて前記細長い器具の第２のモデルを生成すること；
前記第１のモデルを前記第２のモデルと比較すること；および
前記比較に基づいてシステム構成の状態を決定すること；
を含む動作を実行するように構成される、制御システムと；
を有する、
医療システム。
【請求項２】
前記細長い器具は、中を延びる第１のセンサシステムを有する可撓性構成要素を含む、
請求項１に記載の医療システム。
【請求項３】
前記第１のセンサシステムは、光ファイバ形状センサまたは複数の電磁（ＥＭ）センサを含む形状センサを含み、前記第１のモデルは前記細長い器具の測定された姿勢に基づく、
請求項２に記載の医療システム。
【請求項４】
前記測定された姿勢および前記基準姿勢はそれぞれ、前記細長い器具の前記可撓性構成要素の前記形状センサからの形状データに基づく、
請求項３に記載の医療システム。
【請求項５】
前記形状センサによって提供される前記形状データは、測定ゾーンに位置する前記細長い器具のセグメントから受信される、
請求項４に記載の医療システム。
【請求項６】
前記測定ゾーンは、気管内チューブのセグメントまたは患者の気管のセグメントに対応し、
前記細長い器具は前記患者に対して位置決めされる、
請求項５に記載の医療システム。
【請求項７】
前記第２のモデルはさらに、前記細長い器具の挿入距離に基づく、
請求項１に記載の医療システム。
【請求項８】
ロボットアセンブリであって、前記ロボットアセンブリに沿って配置された第２のセンサシステムを含む、ロボットアセンブリをさらに有し、前記細長い器具は、前記ロボットアセンブリに結合され、前記制御システムは、前記第２のセンサシステムと通信する、
請求項７に記載の医療システム。
【請求項９】
前記ロボットアセンブリは、挿入ステージ、マニピュレータ、またはロボットアームのうちの少なくとも１つを含む、
請求項８に記載の医療システム。
【請求項１０】
前記第２のセンサシステムは、回転エンコーダまたはリニアエンコーダを含む、
請求項８に記載の医療システム。
【請求項１１】
入力制御装置をさらに有し、前記制御システムは、前記入力制御装置および前記ロボットアセンブリと通信して前記細長い器具の前記挿入距離を制御し、前記挿入距離は、前記入力制御装置から受信される１つまたは複数のコマンドに基づく、
請求項８に記載の医療システム。
【請求項１２】
前記システム構成の前記状態は、前記細長い器具が患者に対して位置決めされるときの前記患者の状態を含み、前記システム構成の前記状態を決定することは、前記患者が動いたかどうかを決定することを含む、
請求項１乃至１１のいずれか１項に記載の医療システム。
【請求項１３】
前記システム構成の前記状態は、前記細長い器具の状態を含み、前記システム構成の前記状態を決定することは、前記細長い器具の座屈を検出することを含む、
請求項１乃至１１のいずれか１項に記載の医療システム。
【請求項１４】
前記比較に基づいて前記システム構成の前記状態を決定することは：
前記制御システムによって、前記比較および前記比較に関連付けられる閾値に基づいて前記システム構成の前記状態を決定することをさらに含む、
請求項１乃至１１のいずれか１項に記載の医療システム。
【請求項１５】
前記システム構成の前記状態を決定することに基づいてメッセージを表示するための表示システムをさらに有する、
請求項１乃至１１のいずれか１項に記載の医療システム。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
換気装置を車椅子に取り付けるためのシステムにおいて、
前記車椅子に解放可能なように固定されるように構成される第１の部材であり、第１のカプラー構造を有する前記第１の部材、及び
前記換気装置と結合される第２の部材であり、前記換気装置を前記車椅子に取り付けるために、前記第１のカプラー構造と解放可能なように結合されるように構成される第２のカプラー構造を有する、前記第２の部材
を有し、
前記第１の部材は、前記第１の部材を前記車椅子の一部に解放可能なように固定するように構成される、１つ又はそれ以上のストラップ部材及び１つ又はそれ以上の相互係合する締結要素を有する、
システム。
【請求項２】
前記１つ又はそれ以上のストラップ部材は、前記第１の部材を前記車椅子の前記一部に解放可能なように固定するために、その長さが調節可能であるように構成される、請求項１に記載のシステム。
【請求項３】
前記第１のカプラー構造及び前記第２のカプラー構造の各々は、１つ又はそれ以上のカプラー要素を有する、並びに前記第１のカプラー構造の１つ又はそれ以上のカプラー要素は、前記換気装置を前記車椅子に取り付けるために、前記第２のカプラー構造の１つ又はそれ以上のカプラー要素と解放可能なように結合するように構成される、請求項１に記載のシステム。
【請求項４】
前記システムは、前記換気装置を第２の車椅子に取り付けるように構成され、前記第２の車椅子は、前記車椅子とは異なる形状及び形態を有する、請求項１に記載のシステム。
【請求項５】
換気装置を車椅子に取り付けるための方法において、
第１の部材を前記車椅子に解放可能なように固定するステップであり、前記第１の部材は第１のカプラー構造を有する、ステップ、
第２の部材を前記換気装置に結合するステップであり、前記第２の部材は第２のカプラー構造を有する、ステップ、及び
前記換気装置を前記車椅子に取り付けるために、前記第２のカプラー構造を前記第１のカプラー構造と解放可能なように結合するステップ
を有し、
前記第１の部材は、前記第１の部材を前記車椅子の一部に解放可能なように固定するように構成される、１つ又はそれ以上のストラップ部材及び１つ又はそれ以上の相互係合する締結要素を有する、
方法。
【請求項６】
前記１つ又はそれ以上のストラップ部材は、前記第１の部材を前記車椅子の前記一部に解放可能なように固定するために、その長さが調整可能であるように構成される、請求項５に記載の方法。
【請求項７】
前記第１のカプラー構造及び前記第２のカプラー構造の各々は、１つ又はそれ以上のカプラー要素を有する、並びに前記第１のカプラー構造の１つ又はそれ以上のカプラー要素は、前記換気装置を前記車椅子に取り付けるために、前記第２のカプラー構造の１つ又はそれ以上のカプラー要素と解放可能なように結合するように構成される、請求項５に記載の方法。
【請求項８】
前記換気装置を前記車椅子から取り外すために、前記第２のカプラー構造を前記第１のカプラー構造から解放するステップ、
前記第１の部材を第２の車椅子に解放可能なように固定するステップであり、前記第２の車椅子は前記車椅子とは異なる形状及び形態を有する、ステップ、並びに
前記換気装置を前記第２の車椅子に取り付けるために、前記第２のカプラー構造を前記第１のカプラー構造と解放可能なように結合するステップ
をさらに有する請求項５に記載の方法。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
解剖学的構造を含むボリューム画像データから前記解剖学的構造の所望のビューを抽出する超音波診断撮像システムであって、
所望の解剖学的構造の画像データを含むボリューム画像データを取得する超音波プローブと、
取得された前記ボリューム画像データから、前記所望の解剖学的構造の少なくとも一部を示す超音波画像をタッチスクリーンディスプレイ上に表示するディスプレイと、
前記ボリューム画像データ、及び、前記タッチスクリーンディスプレイ上の前記所望の解剖学的構造へのタッチの位置に対応する当該タッチに応答して、ユーザの前記タッチの位置と交差する前記ボリューム画像データからの画像平面を調べることに基づいて、前記ユーザの前記タッチによって示される前記所望の解剖学的構造を含む画像平面を前記ボリューム画像データから見つけ、前記所望の解剖学的構造の特定された前記画像平面を前記ボリューム画像データから抽出する画像抽出プロセッサと、
を含み、
前記ディスプレイは更に、前記所望の解剖学的構造の抽出された前記画像平面を表示する、超音波診断撮像システム。
【請求項２】
Ｂモードプロセッサを更に含み、
前記画像抽出プロセッサは更に胎児モデルを含む、
請求項１に記載の超音波診断撮像システム。
【請求項３】
Ｂモードプロセッサを更に含み、
前記画像抽出プロセッサは更にニューラルネットワークモデルを含む、
請求項１に記載の超音波診断撮像システム。
【請求項４】
前記ニューラルネットワークモデルは、前記所望の解剖学的構造の既知の画像でトレーニングされる、
請求項３に記載の超音波診断撮像システム。
【請求項５】
前記ニューラルネットワークモデルは更に、前記ボリューム画像データのＢモード画像データ内の前記所望の解剖学的構造を認識する、
請求項４に記載の超音波診断撮像システム。
【請求項６】
前記ニューラルネットワークモデルは更に、Ｂモードボリューム画像データ内の前記所望の解剖学的構造を含む画像データの平面を認識する、
請求項５に記載の超音波診断撮像システム。
【請求項７】
前記ボリューム画像データ及び前記ニューラルネットワークモデルによる前記所望の解剖学的構造を含む画像データの平面の前記認識に応答して、前記ボリューム画像データから前記所望の解剖学的構造を含む画像データの画像平面を生成する、多平面リフォーマッタを更に含む、
請求項６に記載の超音波診断撮像システム。
【請求項８】
前記ニューラルネットワークモデルによる所望の解剖学的構造の画像の前記抽出に更に応答して、前記所望の解剖学的構造の測定結果を生成する、
請求項３に記載の超音波診断撮像システム。
【請求項９】
前記所望の解剖学的構造は、胎児骨であり、
前記所望の解剖学的構造の画像は、前記胎児骨の画像であり、
前記ディスプレイは更に、前記胎児骨の測定結果を表示する、請求項３に記載の超音波診断撮像システム。
【請求項１０】
胎齢推定において、前記胎児骨の前記測定結果を使用する、請求項９に記載の超音波診断撮像システム。
【請求項１１】
抽出された前記画像平面は更に、前記所望の解剖学的構造の標準ビューを含む、請求項１に記載の超音波診断撮像システム。
【請求項１２】
超音波撮像中に所望の解剖学的構造の所望のビューを生成する方法であって、
前記所望の解剖学的構造の画像データを含むボリューム画像データを取得するステップと、
前記所望の解剖学的構造の少なくとも一部を含む前記ボリューム画像データからの画像をタッチスクリーンディスプレイに表示するステップと、
前記タッチスクリーンディスプレイ上の前記所望の解剖学的構造の前記少なくとも一部上へのユーザのタッチを、当該タッチの位置を伴って感知するステップと、
前記タッチに応じて、前記ユーザの前記タッチの位置と交差する前記ボリューム画像データからの画像平面を調べることに基づいて、前記ユーザの前記タッチによって示される前記所望の解剖学的構造を含む画像平面を前記ボリューム画像データから見つけ、前記所望の解剖学的構造の特定された前記画像平面を前記ボリューム画像データから抽出するステップと、
前記所望の解剖学的構造の抽出された前記画像平面を表示するステップと、
を含む、方法。
【請求項１３】
前記抽出するステップは、ニューラルネットモデルを使用して行われる、
請求項１２に記載の方法。
【請求項１４】
前記抽出するステップは、胎児モデルを使用して行われる、
請求項１２に記載の方法。
【請求項１５】
所望の画像は更に、前記所望の解剖学的構造の標準ビューを含む、
請求項１２に記載の方法。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
足場タンパク質を含む単離された細胞外小胞であって、前記足場タンパク質の少なくとも一部が外因性配列から発現され、前記足場タンパク質が、プロスタグランジンＦ２受容体ネガティブレギュレーター（ＰＴＧＦＲＮ）、ベイシジン（ＢＳＧ）、免疫グロブリンスーパーファミリーメンバー３（ＩＧＳＦ３）、免疫グロブリンスーパーファミリーメンバー８（ＩＧＳＦ８）、免疫グロブリンスーパーファミリーメンバー２（ＩＧＳＦ２）、インテグリンベータ−１（ＩＴＧＢ１）、インテグリンアルファ−４（ＩＴＧＡ４）、４Ｆ２細胞表面抗原重鎖（ＳＬＣ３Ａ２）、ＡＴＰ輸送体、その機能性断片もしくは変異体、またはそれらの組合せを含む、細胞外小胞。
【請求項２】
前記足場タンパク質が、前記細胞外小胞の表面上に、ネイティブ細胞外小胞における従来の細胞外小胞タンパク質よりも高い密度で存在する、請求項１に記載の細胞外小胞。
【請求項３】
ＰＴＧＦＲＮ、ＢＳＧ、ＩＧＳＦ３、ＩＧＳＦ８、ＩＧＳＦ２、ＩＴＧＢ  １、ＩＴＧＡ４、ＳＬＣ３Ａ２、ＡＴＰ輸送体、その機能性断片もしくは変異体、またはそれらの組合せを含む足場タンパク質を含む単離された細胞外小胞であって、前記足場タンパク質が、ネイティブ細胞外小胞における前記足場タンパク質の密度よりも高い密度で存在する、細胞外小胞。
【請求項４】
前記足場タンパク質の密度が、ネイティブ細胞外小胞における前記足場タンパク質の密度より約２倍〜約１０００倍高い密度である、請求項３に記載の細胞外小胞。
【請求項５】
前記足場タンパク質が、ＰＴＧＦＲＮまたはその機能性断片もしくは変異体である、請求項１〜４のいずれか一項に記載の細胞外小胞。
【請求項６】
前記ＰＴＧＦＲＮまたはその機能性断片もしくは変異体が、配列番号３３に示されるアミノ酸配列を含む、請求項５に記載の細胞外小胞。
【請求項７】
治療剤をさらに含む、請求項１〜６のいずれか一項に記載の細胞外小胞。
【請求項８】
前記治療剤が、治療タンパク質、治療化合物、標的化部分、親和性タグまたはそれらの組合せを含む、請求項７に記載の細胞外小胞。
【請求項９】
（ｉ）前記タンパク質が、（ａ）抗体またはその抗原結合断片、（ｂ）酵素またはその機能性断片、（ｃ）リガンドまたはその機能性断片、（ｄ）受容体またはその機能性断片、（ｅ）抗微生物ペプチドまたはその機能性断片、または（ｆ）それらの組合せを含む、
（ｉｉ）前記治療化合物が、（ａ）ヌクレオチド、（ｂ）アミノ酸、（ｃ）脂質、（ｄ）糖、（ｅ）低分子、または（ｆ）それらの組合せを含む、または
（ｉｉｉ）（ｉ）および（ｉｉ）の両方である、
請求項８に記載の細胞外小胞。
【請求項１０】
前記治療剤が、（ｉ）前記細胞外小胞にコンジュゲートされている、（ｉｉ）前記細胞外小胞に被包されている、または（ｉｉｉ）（ｉ）および（ｉｉ）の両方である、請求項７〜９のいずれか一項に記載の細胞外小胞。
【請求項１１】
前記治療剤が、前記足場タンパク質を介して前記細胞外小胞にコンジュゲートされている、請求項１０に記載の細胞外小胞。
【請求項１２】
エクソソームである、請求項１〜１１のいずれか一項に記載の細胞外小胞。
【請求項１３】
請求項１〜１２のいずれか一項に記載の細胞外小胞及び賦形剤を含む、医薬組成物。
【請求項１４】
請求項１〜１２のいずれか一項に記載の細胞外小胞を産生するための、細胞株を含む組成物。
【請求項１５】
請求項１４に記載の細胞株において細胞外小胞を発現させるステップ、および前記細胞株により生産された細胞外小胞を精製するステップを含む、細胞外小胞を産生する方法。
【請求項１６】
細胞外小胞を含む組成物を調製する方法であって、前記方法は、足場タンパク質をコードするヌクレオチド配列を生産細胞にトランスフェクトするステップを含み、前記足場タンパク質は、プロスタグランジンＦ２受容体ネガティブレギュレーター（ＰＴＧＦＲＮ）、ベイシジン（ＢＳＧ）、免疫グロブリンスーパーファミリーメンバー２（ＩＧＳＦ２）、免疫グロブリンスーパーファミリーメンバー３（ＩＧＳＦ３）、免疫グロブリンスーパーファミリーメンバー８（ＩＧＳＦ８）、インテグリンベータ−１（ＩＴＧＢ１）、ＩＴＧＡ４（インテグリンアルファ−４）、４Ｆ２細胞表面抗原重鎖（ＳＬＣ３Ａ２）、ＡＴＰ輸送体、その機能性断片もしくは変異体、またはそれらの組合せを含み、前記足場タンパク質を発現する細胞外小胞が生産される、方法。
【請求項１７】
前記細胞外小胞を単離するステップをさらに含む、請求項１６に記載の方法。
【請求項１８】
前記足場タンパク質が、（ｉ）ＰＴＧＦＲＮ、ＢＳＧ、ＩＧＳＦ２、ＩＧＳＦ３、ＩＧＳＦ８、ＩＴＧＢ１、ＩＴＧＡ４、ＳＬＣ３Ａ２、ＡＴＰ輸送体、その機能性断片もしくは変異体、またはそれらの組合せと、（ｉｉ）治療剤とを含む融合タンパク質である、請求項１６または１７に記載の方法。
【請求項１９】
前記治療剤が、治療タンパク質、治療化合物、標的化部分、親和性タグまたはそれらの組合せを含む、請求項１８に記載の方法。
【請求項２０】
（ｉ）前記タンパク質が、（ａ）抗体またはその抗原結合断片、（ｂ）酵素またはその機能性断片、（ｃ）リガンドまたはその機能性断片、（ｄ）受容体またはその機能性断片、（ｅ）抗微生物ペプチドまたはその機能性断片、または（ｆ）それらの組合せを含む、
（ｉｉ）前記治療化合物が、（ａ）ヌクレオチド、（ｂ）アミノ酸、（ｃ）脂質、（ｄ）糖、（ｅ）低分子、または（ｆ）それらの組合せを含む、または
（ｉｉｉ）（ｉ）および（ｉｉ）の両方である、
請求項１９に記載の方法。
【請求項２１】
前記足場タンパク質が、トランスフェクトされていない対応する生産細胞から単離されたネイティブ細胞外小胞において発現される前記足場タンパク質より約２倍〜約１０００倍高い密度で前記細胞外小胞上に発現される、請求項１６〜２０のいずれか一項に記載の方法。
【請求項２２】
請求項１６〜２１のいずれか一項に記載の方法によって生産された細胞外小胞。
【請求項２３】
エクソソームである、請求項２２に記載の細胞外小胞。
【請求項２４】
疾患の処置を必要とする対象において疾患を処置するための医薬の製造における、請求項１〜１２、２２および２３のいずれか一項に記載の細胞外小胞の使用であって、前記細胞外小胞は、前記対象への投与に適する、使用。
【請求項２５】
疾患の処置を必要とする対象において疾患を処置するための、請求項１〜１２、２２および２３のいずれか一項に記載の細胞外小胞を含む組成物。
【誤訳訂正書】
【提出日】令和3年8月12日(2021.8.12)
【誤訳訂正１】
【訂正対象書類名】特許請求の範囲
【訂正対象項目名】全文
【訂正方法】変更
【訂正の内容】
【特許請求の範囲】
【請求項１】
原紙を含む、喫煙具のための包装紙であって、前記原紙は、互いから離れて提供される複数の燃焼抑制領域を含み、前記燃焼抑制領域と前記原紙との間の拡散能力の比は、５％〜３５％の範囲である、包装紙。
【請求項２】
前記燃焼抑制領域の前記拡散能力は、０．１０〜０．３５ｃｍ／ｓである、請求項１に記載の包装紙。
【請求項３】
前記原紙の前記拡散能力は、１．０〜２．０ｃｍ／ｓである、請求項１又は２に記載の包装紙。
【請求項４】
前記燃焼抑制領域は、前記原紙の表面上に提供される、請求項１〜３のいずれか一項に記載の包装紙。
【請求項５】
前記燃焼抑制領域は、原紙マトリクスに埋め込まれて提供される、請求項１〜４のいずれか一項に記載の包装紙。
【請求項６】
前記燃焼抑制領域は、前記原紙の前記拡散能力を低下させる少なくとも１つの添加剤を含有し、前記添加剤は、アルギネート、ポリビニルアルコール、ポリ酢酸ビニル、加工及び未加工デンプン、セルロース誘導体、無機イオン、天然ゴム又はその混合物からなる群から選択される、請求項１〜５のいずれか一項に記載の包装紙。
【請求項７】
前記燃焼抑制領域は、ストライプの形態である、請求項１〜６のいずれか一項に記載の包装紙。
【請求項８】
前記原紙は、繊維材料、充填材及び１つ又は複数の燃焼添加剤を含む、請求項１〜７のいずれか一項に記載の包装紙。
【請求項９】
前記原紙の紙気孔率は、１０〜６０ＣＵであり、及び燃焼添加剤の総量は、前記原紙の乾燥重量に基づいて０．１〜０．７重量％である、請求項８に記載の包装紙。
【請求項１０】
前記燃焼添加剤は、クエン酸塩、酢酸塩、リン酸塩、酒石酸塩、硝酸塩又はその混合物からなる群から選択される、請求項８又は９に記載の包装紙。
【請求項１１】
前記原紙の坪量は、２０〜２６ｇ／ｍ２である、請求項１〜１０のいずれか一項に記載の包装紙。
【請求項１２】
充填剤の量は、前記原紙の前記乾燥重量に基づいて１７〜２３重量％である、請求項８〜１１のいずれか一項に記載の包装紙。
【請求項１３】
前記充填材は、炭酸カルシウム、カオリン、クレイ、タルク、二酸化チタン、アルミナ三水和物並びに沈降シリカ及びシリケート（ＰＳＳ）又はその混合物からなる群から選択される、請求項８〜１２のいずれか一項に記載の包装紙。
【請求項１４】
前記繊維材料は、セルロース質繊維材料である、請求項８〜１３のいずれか一項に記載の包装紙。
【請求項１５】
請求項１〜１４のいずれか一項に記載の包装紙によって囲まれた喫煙可能材料の装入物を含む喫煙具。
【誤訳訂正２】
【訂正対象書類名】明細書
【訂正対象項目名】００５３
【訂正方法】変更
【訂正の内容】
【００５３】
包装紙を含む本発明の喫煙具の特定の実施形態において、原紙における充填剤は、炭酸カルシウム、例えば沈降炭酸カルシウム（ＰＣＣ）又は重質炭酸カルシウム（ＧＣＣ）、カオリン、クレイ、タルク、二酸化チタン、アルミナ三水和物並びに沈降シリカ及びシリケート（ＰＳＳ）又はその混合物からなる群から選択される。
【誤訳訂正３】
【訂正対象書類名】明細書
【訂正対象項目名】００５７
【訂正方法】変更
【訂正の内容】
【００５７】
本発明の包装紙の特定の実施形態において、原紙の坪量は、２０〜２６ｇ／ｍ２、例えば２１〜２４ｇ／ｍ２又は例えば２３〜２５ｇ／ｍ２、例えば２４ｇ／ｍ２である。これらの範囲に含まれる坪量を原紙に提供することにより、ＣＯのレベルを制御しつつ包装紙の望ましい不透明性を得ることが可能である。
【誤訳訂正４】
【訂正対象書類名】明細書
【訂正対象項目名】００６７
【訂正方法】変更
【訂正の内容】
【００６７】
【表１】
2020531029.tif 000001
【誤訳訂正５】
【訂正対象書類名】明細書
【訂正対象項目名】００７７
【訂正方法】変更
【訂正の内容】
【００７７】
【表４】
2020531029.tif 000002
【誤訳訂正６】
【訂正対象書類名】明細書
【訂正対象項目名】００８１
【訂正方法】変更
【訂正の内容】
【００８１】
【表６】
2020531029.tif 000003
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
加熱されている粒子含有ガス（３）を吸い込むための吸口（２）を備えた喫煙物品（１）であって、
前記粒子含有ガス（３）を冷却するための少なくとも１つの冷却装置（４）が含まれていて、前記粒子含有ガス（３）が、吸込み時に、前記冷却装置（４）を通って流れ、前記冷却装置（４）が、冷却材料（５）を有していて、前記冷却装置（４）による冷却が、前記冷却材料（５）の吸熱プロセスにより実現されていて、前記吸熱プロセスが、前記加熱されている粒子含有ガス（３）により活性化されており、前記冷却装置が、長いキャリア材料（７）を有していて、該長いキャリア材料（７）が、前記冷却材料（５）を含んでいることを特徴とする、喫煙物品（１）。
【請求項２】
前記キャリア材料（７）が、複数回折り畳まれている、請求項１記載の喫煙物品（１）。
【請求項３】
前記冷却材料（５）が、前記キャリア材料（７）の表面上に被着されている、請求項１または２記載の喫煙物品（１）。
【請求項４】
前記吸熱プロセスが、脱着により実現されている、請求項１から３までのいずれか１項記載の喫煙物品（１）。
【請求項５】
前記吸熱プロセスが、前記冷却材料（５）の溶融および／または気化により実現されている、請求項１から４までのいずれか１項記載の喫煙物品（１）。
【請求項６】
前記吸熱プロセスが、無機塩の結晶水の放出により実現されている、請求項１から５までのいずれか１項記載の喫煙物品（１）。
【請求項７】
フィルタエレメント（６）が含まれていて、該フィルタエレメント（６）が、前記粒子含有ガス（３）の流れ方向で、前記吸口（２）の上流側に配置されていて、前記フィルタエレメント（６）が、前記冷却装置（４）を含んでいる、請求項１から６までのいずれか１項記載の喫煙物品（１）。
【請求項８】
前記冷却材料（５）が、前記キャリア材料（７）内に導入されている、請求項１から７までのいずれか１項記載の喫煙物品（１）。
【請求項９】
前記冷却材料（５）が、小さな粒子（８）で前記冷却装置（４）内に導入されている、請求項１から８までのいずれか１項記載の喫煙物品（１）。
【請求項１０】
前記冷却装置（４）が、別個のセグメント（９）として、前記粒子含有ガス（３）の流れ方向で前記吸口（２）の上流側に配置されている、請求項１から９までのいずれか１項記載の喫煙物品（１）。
【請求項１１】
請求項１から１０までのいずれか１項記載の喫煙物品（１）において加熱された粒子含有ガス（３）を冷却するための方法であって、
前記粒子含有ガス（３）を、吸込み時に冷却装置（４）を通してガイドし、前記冷却装置（４）が、冷却材料（５）を有していて、前記冷却装置（４）による冷却を、前記冷却材料（５）の吸熱プロセスにより実現し、前記吸熱プロセスを
前記加熱された粒子含有ガス（４）により活性化する、ことを特徴とする方法。
【請求項１２】
前記吸熱プロセスを、脱着により実現する、請求項１１記載の方法。
【請求項１３】
前記吸熱プロセスを、前記冷却材料（５）の溶融により実現する、請求項１１または１２記載の方法。
【請求項１４】
前記吸熱プロセスを、無機塩の結晶水の放出により実現する、請求項１１から１３までのいずれか１項記載の方法。
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
生体組織へ電磁エネルギーを送達するための電気外科器具であって、前記器具は、
遠位端アセンブリを備え、前記遠位端アセンブリは、
第１の誘電材料で作られた平面体を含むアクティブチップであって、第１の誘電材料は、前記平面体の第１の表面上の第１の導電素子と前記平面体の第２の表面上の第２の導電素子とを分離し、前記第２の表面は前記第１の表面の反対方向に面する、前記アクティブチップと、
前記アクティブチップの下側に取り付けられた導電性の保護外殻であって、前記平面体から離れた方向に面する滑らかな輪郭の凸状下面を有する前記保護外殻と、
内部導体、前記内部導体と同軸の外部導体、及び内部導体と外部導体とを分離する第２の誘電材料を含む同軸給電ケーブルであって、ＲＦ  ＥＭエネルギーまたはマイクロ波ＥＭエネルギーを伝達するための同軸給電ケーブルと、
を備え、
前記内部導体は前記第１の導電素子と電気的に接続され、前記外部導体は前記保護外殻を介して前記第２の導電素子に電気的に接続され、これにより前記器具チップは、前記ＲＦ信号及び／または前記マイクロ波信号を受信することが可能となり、
前記第１及び第２の導電素子は、前記平面体の遠位側部分において、前記同軸ケーブルから前記ＲＦ  ＥＭエネルギーまたは前記マイクロ波ＥＭエネルギーを放出するように構成される、
前記電気外科器具。
【請求項２】
前記保護外殻は、生体組織との摩擦係数が低い導電材料から形成される、請求項１に記載の電気外科器具。
【請求項３】
前記保護外殻は、ステンレス鋼片を含む、請求項１または２に記載の電気外科器具。
【請求項４】
前記保護外殻は、前記第２の導電素子にはんだ付けされる、請求項１から３のいずれか１項に記載の電気外科器具。
【請求項５】
前記保護外殻は、前記平面体の前記第２の表面に当接する上面を含み、前記上面は、はんだプリフォームを保持するための陥凹部を含む、請求項４に記載の電気外科器具。
【請求項６】
前記陥凹部は、前記平面体の側縁から後退した側縁を有する、請求項５に記載の電気外科器具。
【請求項７】
前記保護外殻は、前記外部導体の一部を収容するためのＵ字形陥凹部を有する、請求項１から６のいずれか１項に記載の電気外科器具。
【請求項８】
前記同軸ケーブルは、締り嵌めにより前記Ｕ字形陥凹部内に保持される、請求項７に記載の電気外科器具。
【請求項９】
前記同軸ケーブルは、前記Ｕ字形陥凹部内で変形するように圧着される、請求項７または８に記載の電気外科器具。
【請求項１０】
前記遠位端アセンブリは、前記保護外殻の近位端に接続された可撓性シャフトを備え、
前記シャフトは、前記同軸ケーブルを運ぶためのルーメンを画定する、請求項１から９のいずれか１項に記載の電気外科器具。
【請求項１１】
前記可撓性シャフトは、
その近位端から前記遠位端アセンブリへの前記トルク伝達を支援するために編組が中に形成された近位カニューレ管と、
前記カニューレ管の遠位端に接合された遠位非編組管状部分と、
を含む、請求項１０に記載の電気外科器具。
【請求項１２】
前記可撓性シャフトは、前記近位カニューレ管と前記非編組管状部分との間の接合部に取り付けられた支持管を含む、請求項１１に記載の電気外科器具。
【請求項１３】
前記近位カニューレ管と前記非編組管状部分との間の接合部は、熱収縮スリーブに包まれる、請求項１１または１２に記載の電気外科器具。
【請求項１４】
前記第１及び第２の導電素子はそれぞれ金属化層を備え、前記金属化層は前記第１の誘電材料の反対表面上に形成される、請求項１から１３のいずれか１項に記載の電気外科器具。
【請求項１５】
各金属化層は、チタンまたはタングステンなどの１５００℃を超える高融点の金属から形成されたメッキ領域を有する、請求項１４に記載の電気外科器具。
【請求項１６】
前記第１の導電素子は、そのメッキ領域と前記内部導体との間に第１の接続部分を有し、前記第２の導電素子は、そのメッキ領域と前記保護外殻との間に第２の接続部分を有し、前記第１及び第２の接続部分は、融点が１２００℃未満の導電材料でできている、請求項１５に記載の電気外科器具。
【請求項１７】
前記遠位端アセンブリは、前記器具から送り出す流体を運ぶための流体供給導管を含む、請求項１から１６のいずれか１項に記載の電気外科器具。
【請求項１８】
前記保護外殻の前記下面は、長手方向に延在する陥凹チャネルが中に形成され、前記流体供給導管は、前記長手方向に延在する陥凹チャネル内に取り付けられる、請求項１７に記載の器具。
【請求項１９】
前記流体供給導管は、針案内管を含み、その中には格納式針が摺動可能に取り付けられる、請求項１７または１８に記載の器具。